(57)【要約】【課題】動画データが消去されても、消去された動画データの内容が確認できるようにする。【解決手段】印刷システム１１は、携帯電話機１２と、動画印刷センタ１４とを備え、携帯電話機１２と動画印刷センタ１４の管理コンピュータ２１とは、一般電話回線網１９等を介して接続されている。携帯電話機１２は、撮像素子３１ａを介して動画データを取得し、管理コンピュータ２１に送信する。管理コンピュータ２１の管理側ＣＰＵは、動画データを受信すると、受信した動画データから、１５フレームの静止画データと再生開始時間データとを抽出し、印刷データを作成する。管理側ＣＰＵは、抽出した印刷データに基づいて、プリンタ２２を介して用紙Ｐに対して印刷が行う。用紙Ｐ上には、静止画データに基づく静止画が再生開始時間データに基づいて時系列順に並んで印刷される。【選択図】      図１
2004297584.tif 000002
【特許請求の範囲】
【請求項１】
ユーザー端末に接続されている管理コンピュータと、同管理コンピュータに接続されている印刷手段とを備え、前記管理コンピュータにおいて作成された印刷データに基づいて、前記印刷手段において印刷媒体に対して印刷を行う印刷システムにおいて、
前記管理コンピュータが、
前記ユーザー端末から、時間的に連続する複数の静止画データと同静止画データの再生順序を表す再生順序データとによって構成される動画データを受信する手段と、
前記動画データから、所定数の前記静止画データと、同静止画データに対応する前記再生順序データとを抽出し、抽出した前記所定数の静止画データと、前記再生順序データとに基づいて、前記印刷データを作成する手段と
を備えたことを特徴とする印刷システム。
【請求項２】
請求項１に記載の印刷システムにおいて、
前記印刷データは、
前記印刷媒体上に、前記所定数の静止画データに基づく所定数の静止画が、前記再生順序データに基づいて、時系列順に並べて印刷されるためのデータであることを特徴とする印刷システム。
【請求項３】
請求項１又は２に記載の印刷システムにおいて、
前記管理コンピュータが、さらに、
前記ユーザー端末から、音声データを受信する手段と、
前記音声データから、音声認識を行って文字データを作成する手段と、
前記文字データに基づいて、前記印刷データを作成する手段と
を備えたことを特徴とする印刷システム。
【請求項４】
請求項３に記載の印刷システムにおいて、
前記印刷データは、
前記印刷媒体上に、前記所定数の静止画データに基づく所定数の静止画が、前記再生順序データに基づいて、時系列順に並べて印刷されるためのデータであるとともに、
前記印刷媒体上に、前記文字データに基づく文字が、時系列順に前記静止画に対して並列となるように並べて印刷されるためのデータであることを特徴とする印刷システム。
【請求項５】
ユーザー端末に接続されている管理コンピュータと、同管理コンピュータに接続されている印刷手段とを備えた印刷システムを用いて、印刷媒体に対して印刷を行う印刷方法において、
前記管理コンピュータが、前記ユーザー端末から、時間的に連続する複数の静止画データと同静止画データの再生順序を表す再生順序データとによって構成される動画データを受信する段階と、
前記管理コンピュータが、前記動画データから、所定数の前記静止画データと、同静止画データに対応する前記再生順序データとを抽出し、抽出した前記所定数の静止画データと、前記再生順序データとに基づいて、印刷データを作成する段階と、
前記印刷手段が、前記印刷データに基づいて前記印刷媒体に対して印刷を行う段階と
を備えたことを特徴とする印刷方法。
【請求項６】
ユーザー端末に接続されている管理コンピュータと、同管理コンピュータに接続されている印刷手段とを備えた印刷システムを用いて、印刷媒体に対して印刷を行うための印刷プログラムにおいて、
前記管理コンピュータを、
前記ユーザー端末から、時間的に連続する複数の静止画データと同静止画データの再生順序を表す再生順序データとによって構成される動画データを受信する手段、及び、
前記動画データから、所定数の前記静止画データと、同静止画データに対応する前記再生順序データとを抽出し、抽出した前記所定数の静止画データと、前記再生順序データとに基づいて、印刷データを作成する手段
として機能させるための印刷プログラム。
【発明の詳細な説明】
【０００１】
【発明の属する技術分野】
本発明は、印刷システム、印刷方法及びプログラムに関する。
【０００２】
【従来の技術】
従来から、携帯電話機に、デジタルカメラの機能を搭載することが知られていた（例えば、特許文献１参照。）。詳しくは、この特許文献１に記載の携帯電話機は、デジタルカメラの機能によって取得した画像データを、携帯電話機の機能によって、電話回線を用いて即座に別の場所にある大型の記憶媒体に伝送可能となっていた。そして、これにより、携帯電話機における記憶容量の小ささをフォローするようになっていた。
【０００３】
【特許文献１】
特開平６−１３３０８１号公報
【０００４】
【発明が解決しようとする課題】
ところで、近年、上記のような携帯電話機の中には、デジタルビデオカメラの機能を搭載することにより、動画データが取得可能なものも知られるようになっていた。そして、このような動画データについては、静止画データに比較してデータのサイズが大きいため、上記のように、携帯電話機以外の場所にデータを伝送する必要性が、より高くなっていた。
【０００５】
なお、このデータの伝送先としては、データの取り扱いの利便性を考慮すると、ユーザーのパーソナルコンピュータ等が挙げられるが、ユーザーの中には、このようなパーソナルコンピュータを有しない場合があった。また、携帯電話機の中には、メモリーカード等の印刷媒体に画像データを記憶させることのできるものもあったが、画像データの個数が増えるに伴い、複数のメモリーカードを用意しなくてはならず、コスト高となる可能性があった。
【０００６】
従って、以上のように、動画データを携帯電話機以外に移動させることが難しい場合には、ユーザーは、携帯電話機の小さな記憶容量の範囲内で、取得した動画データを管理しなくてはならなかった。その結果、新たな動画データの取得容量を確保するために、古い動画データを消去しなければならないという現象が生じることがあった。そして、ユーザーは、消去した動画データについて、その内容を二度と確認することができなくなっていた。
【０００７】
本発明は、上記問題を解決するためになされたものであって、その目的は、動画データが消去されても、その消去された動画データの内容を確認することができる印刷システム、印刷方法及びプログラムを提供することにある。
【０００８】
【課題を解決するための手段】
本発明は、ユーザー端末に接続されている管理コンピュータと、同管理コンピュータに接続されている印刷手段とを備え、前記管理コンピュータにおいて作成された印刷データに基づいて、前記印刷手段において印刷媒体に対して印刷を行う印刷システムにおいて、前記管理コンピュータが、前記ユーザー端末から、時間的に連続する複数の静止画データと同静止画データの再生順序を表す再生順序データとによって構成される動画データを受信する手段と、前記動画データから、所定数の前記静止画データと、同静止画データに対応する前記再生順序データとを抽出し、抽出した前記所定数の静止画データと、前記再生順序データとに基づいて、前記印刷データを作成する手段とを備えた。
【０００９】
従って、本発明によれば、ユーザー端末に記憶されている動画データを、管理コンピュータに送信することで、管理コンピュータにおいて、動画データから、所定数の静止画データと再生順序データとが抽出され、抽出されたデータに基づいて、印刷手段を介して印刷媒体に対して印刷が行われる。
【００１０】
従って、印刷媒体上には、静止画データと再生順序データとに基づく表示がされるので、この印刷媒体上の表示を見ることで、動画データの内容を把握することが可能となる。すなわち、ユーザー端末において、動画データを消去する前に、この動画データを管理コンピュータに送信して、印刷媒体上に印刷を行うことで、動画データが消去された後でも、動画データの内容を把握することができるようになる。その結果、ユーザー端末においては、あまり重要度の高くない動画データについては、印刷媒体上への印刷を行うことで積極的に消去することができる。そして、ユーザー端末における記憶容量の空きスペースを増大させ、動画データの管理を容易にすることができる。
【００１１】
この印刷システムにおいて、前記印刷データは、前記印刷媒体上に、前記所定数の静止画データに基づく所定数の静止画が、前記再生順序データに基づいて、時系列順に並べて印刷されるためのデータである。
【００１２】
これによれば、ユーザー端末から管理コンピュータに動画データを送信することで、印刷媒体上に、静止画データに基づく所定数の静止画が、時系列順に並んで表示されるようになる。従って、印刷媒体上に印刷された所定数の静止画を並び順に見ることによって、各静止画の内容の経時的な変化を簡単に把握することができる。その結果、ユーザー端末から送信された動画データの内容をより正確に把握することが可能となる。
【００１３】
この印刷システムにおいて、前記管理コンピュータが、さらに、前記ユーザー端末から、音声データを受信する手段と、前記音声データから、音声認識を行って文字データを作成する手段と、前記文字データに基づいて、前記印刷データを作成する手段とを備えた。
【００１４】
これによれば、ユーザー端末から管理コンピュータに対して、動画データに加えて音声データを送信することで、管理コンピュータにおいて、所定数の静止画データと再生順序データとに加えて、文字データが抽出され、抽出されたデータに基づいて、印刷手段を介して印刷媒体に対して印刷が行われる。
【００１５】
従って、印刷媒体上には、静止画データと再生順序データとに基づく表示に加えて、文字データに基づく表示がされるので、この印刷媒体上の表示を見ることで、動画データの内容をより正確に把握することが可能となる。
【００１６】
この印刷システムにおいて、前記印刷データは、前記印刷媒体上に、前記所定数の静止画データに基づく所定数の静止画が、前記再生順序データに基づいて、時系列順に並べて印刷されるためのデータであるとともに、前記印刷媒体上に、前記文字データに基づく文字が、時系列順に前記静止画に対して並列となるように並べて印刷されるためのデータである。
【００１７】
これによれば、ユーザー端末から管理コンピュータに動画データを送信することで、印刷媒体上に、静止画データに基づく所定数の静止画と、文字データに基づく文字とが、時系列順に並列に並んで表示されるようになる。従って、印刷媒体上に印刷された所定数の静止画を並び順に見ることによって、各静止画の内容の経時的な変化を簡単に把握することができる。また、その静止画と並列に表示されている文字を見ることによって、各静止画に対応する音声を把握することができる。その結果、ユーザー端末から送信された動画データの内容をより正確に把握することが可能となる。
【００１８】
本発明は、ユーザー端末に接続されている管理コンピュータと、同管理コンピュータに接続されている印刷手段とを備えた印刷システムを用いて、印刷媒体に対して印刷を行う印刷方法において、前記管理コンピュータが、前記ユーザー端末から、時間的に連続する複数の静止画データと同静止画データの再生順序を表す再生順序データとによって構成される動画データを受信する段階と、前記管理コンピュータが、前記動画データから、所定数の前記静止画データと、同静止画データに対応する前記再生順序データとを抽出し、抽出した前記所定数の静止画データと、前記再生順序データとに基づいて、印刷データを作成する段階と、前記印刷手段が、前記印刷データに基づいて前記印刷媒体に対して印刷を行う段階とを備えた。
【００１９】
従って、本発明によれば、ユーザー端末に記憶されている動画データを、管理コンピュータに送信することで、管理コンピュータにおいて、動画データから、所定数の静止画データと再生順序データとが抽出され、抽出されたデータに基づいて、印刷手段を介して印刷媒体に対して印刷が行われる。
【００２０】
従って、印刷媒体上には、静止画データと再生順序データとに基づく表示がされるので、この印刷媒体上の表示を見ることで、動画データの内容を把握することが可能となる。
【００２１】
本発明は、ユーザー端末に接続されている管理コンピュータと、同管理コンピュータに接続されている印刷手段とを備えた印刷システムを用いて、印刷媒体に対して印刷を行うための印刷プログラムにおいて、前記管理コンピュータを、前記ユーザー端末から、時間的に連続する複数の静止画データと同静止画データの再生順序を表す再生順序データとによって構成される動画データを受信する手段、及び、前記動画データから、所定数の前記静止画データと、同静止画データに対応する前記再生順序データとを抽出し、抽出した前記所定数の静止画データと、前記再生順序データとに基づいて、印刷データを作成する手段として機能させる。
【００２２】
従って、本発明によれば、ユーザー端末に記憶されている動画データを、管理コンピュータに送信することで、管理コンピュータにおいて、動画データから、所定数の静止画データと再生順序データとが抽出され、抽出されたデータに基づいて、印刷手段を介して印刷媒体に対して印刷が行われる。
【００２３】
従って、印刷媒体上には、静止画データと再生順序データとに基づく表示がされるので、この印刷媒体上の表示を見ることで、動画データの内容を把握することが可能となる。
【００２４】
【発明の実施の形態】
以下、本発明を具体化した一実施形態を図１〜図６に従って説明する。
図１は本実施形態の印刷システムの概略構成図を示す。図１に示すように、印刷システム１１は、ユーザー端末としての携帯電話機１２と、動画印刷センタ１４とを備える。携帯電話機１２は、アンテナ１５を有しており、アンテナ１５から動画データや音声データ等を電波信号として発信する。そして、この電波信号は携帯電話基地局１７の基地局アンテナ１８で受信され、一般電話回線網１９を介して動画印刷センタ１４の管理コンピュータ２１に送信される。
【００２５】
つまり、携帯電話機１２と動画印刷センタ１４の管理コンピュータ２１とは、いわゆる無線インターネットで接続されている。又、携帯電話機１２と管理コンピュータ２１との間に一般電話回線網１９を介さないようにしてもよい。すなわち、携帯電話機１２側に無線送受信機とＴＡ（ターミナルアダプタ；Ｔｅｒｍｉｎａｌ  Ａｄａｐｔｅｒ）とＤＳＵ（デジタルサービスユニット；Ｄｉｇｉｔａｌ  Ｓｅｒｖｉｃｅ  Ｕｎｉｔ）とを備えて、携帯電話機１２と管理コンピュータ２１とを直接無線インターネットにて接続する手法でもよい。
【００２６】
なお、動画印刷センタ１４は、印刷手段としてのプリンタ２２を備え、このプリンタ２２は、前記管理コンピュータ２１に接続されている。そして、管理コンピュータ２１は、動画データ及び音声データ等に基づいて印刷データを作成し、作成した印刷データに基づいて、このプリンタ２２を介して印刷媒体としての用紙Ｐ上に印刷を行うようになっている。
【００２７】
次に、本実施形態の携帯電話機１２について、図２に従って詳しく説明する。
図２に示すように、携帯電話機１２は、携帯側ＣＰＵ２５、携帯側ＲＯＭ２６、携帯側ＲＡＭ２７、キースイッチ２９、ＡＤ変換器３０、撮影装置３１、動画・音声データ記憶部３３、ディスプレイ３４、ＤＡ変換器３５、スピーカ３６、タイマ３８、アンテナ１５を備える。
【００２８】
携帯側ＣＰＵ２５は、キースイッチ２９と接続されており、キースイッチ２９からの操作信号を入力する。なお、キースイッチ２９は、図１に示すように、携帯電話機１２の表面に複数設けられている。また、図２に示すように、携帯側ＣＰＵ２５は、ＡＤ変換器３０を介して撮影装置３１と接続されている。ＡＤ変換器３０は、アナログ信号をデジタルデータに変換する装置である。
【００２９】
撮影装置３１は、撮像素子３１ａとマイク３１ｂとを備え、撮像素子３１ａは、光の強弱を電圧に変換して蓄電するフォトダイオードを格子状に並べたものである。そして、図１に示すように、撮像素子３１ａは、携帯電話機１２の裏面に位置しており、携帯電話機１２の裏面を図示しない被写体に向けることによって、被写体の画像が撮像素子３１ａによって電気信号に変換される。そして、前記撮像素子３１ａから出力された電気信号は、ＡＤ変換器３０によって、静止画データに変換され、携帯側ＣＰＵ２５に入力される。
【００３０】
また、図２に示すように、マイク３１ｂは、音声を集めて、その音声を電気信号に変換するものである。そして、図１に示すように、携帯電話機１２の表面下部に位置している。そして、このマイク３１ｂにおいて、音声に基づいて出力される電気信号は、ＡＤ変換器３０によって、音声データに変換され、携帯側ＣＰＵ２５に入力される。
【００３１】
さらに、図２に示すように、携帯側ＣＰＵ２５は、動画・音声データ記憶部３３と接続されており、この動画・音声データ記憶部３３には、動画データと音声データとが記憶されている。動画データは、時間的に連続する複数の静止画データと、再生順序データとしての再生開始時間データとによって構成される。
【００３２】
静止画データは、携帯側ＣＰＵ２５が、前記撮影装置３１からＡＤ変換器３０を介して入力したデータとなっている。なお、１つの静止画データを「１フレーム」と定義すると、本実施形態の動画データは、２２５フレームの静止画データによって構成されているものとする。
【００３３】
再生開始時間データは、２２５フレームの各静止画データについて、それぞれの再生開始時間を表すためのデータとなっている。なお、本実施形態においては、この再生開始時間データは、例えば、「７．００秒」、「１０．３０秒」といったデータとなっており、各静止画データを、この再生開始時間データの示す時間の昇順に再生することによって、動画が得られるようになっている。そして、本実施形態においては、静止画データは、１５フレーム／秒で再生されるためのデータとなっており、１つの動画データを構成する２２５フレームの静止画データを全て再生することにより、１５秒間の動画が得られるようになっている。
【００３４】
音声データは、携帯側ＣＰＵ２５が、前記撮影装置３１からＡＤ変換器３０を介して入力したデータとなっている。そして、この音声データは、本実施形態においては、再生されることによって、１５秒間の音声が得られるようなデータとなっている。
【００３５】
そして、携帯側ＣＰＵ２５は、ディスプレイ３４に接続されており、このディスプレイ３４に対して、各種画像データを出力する。そして、ディスプレイ３４は、本実施形態においては、カラー液晶ディスプレイとなっており、携帯側ＣＰＵ２５からの画像データに基づいて各種画像の表示を行う。なお、図１に示すように、ディスプレイ３４は、携帯電話機１２の上部表面に位置している。
【００３６】
また、図２に示すように、携帯側ＣＰＵ２５は、ＤＡ変換器３５を介してスピーカ３６に接続されている。ＤＡ変換器３５は、音声データをアナログ信号に変換する装置である。スピーカ３６はＤＡ変換器３５からのアナログ信号に基づいて音声を出力するものである。そして、携帯側ＣＰＵ２５の制御信号により、ＤＡ変換器３５に出力された音声データは、アナログ信号に変換され、スピーカ３６から音声として出力される。なお、図１に示すように、スピーカ３６は、携帯電話機１２のディスプレイ３４の上側に位置している。
【００３７】
さらに、図２に示すように、携帯側ＣＰＵ２５は、タイマ３８と接続されており、タイマ３８において計時された時間情報を入力する。なお、タイマ３８は、リアルタイムクロック（ＲＴＣ）を利用して、現在日時を計時するものである。さらに又、携帯側ＣＰＵ２５は、前記アンテナ１５と接続されており、アンテナ１５を介して前記動画データや音声データを電波信号として発信するようになっている。
【００３８】
そして、携帯側ＣＰＵ２５は、携帯側ＲＯＭ２６に接続され、この携帯側ＲＯＭ２６に記憶されている各種プログラムに従って動作し、その演算処理結果を携帯側ＲＡＭ２７に一時記憶するようになっている。詳述すると、携帯側ＲＯＭ２６には、データ取得プログラム、データ再生プログラム、データ送信プログラム及びその他各種のプログラムが備えられている。
【００３９】
データ取得プログラムは、携帯側ＣＰＵ２５が、前記キースイッチ２９から、動画データと音声データの取得を希望する旨の操作信号を入力すると、撮影装置３１等を介して前記動画データと音声データとを取得するためのプログラムである。また、取得した動画データと音声データとを、前記動画・音声データ記憶部３３に記憶するためのプログラムでもある。
【００４０】
すなわち、携帯側ＣＰＵ２５は、キースイッチ２９から操作信号を入力すると、データ取得プログラムに従って、前記タイマ３８から時間情報を入力し、操作信号の入力のあった時間から所定時間経過するまでの間、複数の静止画データ及び音声データを撮影装置３１から取得する。なお、本実施形態においては、静止画データ及び音声データは、キースイッチ２９の操作信号の入力から１５秒経過するまでの間、取得される。また、静止画データは、１秒間当たり、１５フレーム取得される。
【００４１】
そして、携帯側ＣＰＵ２５は、複数の静止画データと音声データとを取得すると、まず、取得した複数の静止画データについて、それぞれを取得した時間に基づいて前記再生開始時間データを作成し、各静止画データと対応づける。そして、携帯側ＣＰＵ２５は、静止画データと再生開始時間データとを対応づけることにより動画データを作成し、前記動画・音声データ記憶部３３に記憶させる。続いて、携帯側ＣＰＵ２５は、取得した音声データを動画・音声データ記憶部３３に記憶させる。
【００４２】
また、データ再生プログラムは、携帯側ＣＰＵ２５が、前記キースイッチ２９から、前記動画・音声データ記憶部３３に記憶されている動画データ及び音声データの再生を希望する旨の操作信号を入力すると、前記ディスプレイ３４及びスピーカ３６を介して、各データの再生を行うためのプログラムである。すなわち、携帯側ＣＰＵ２５は、キースイッチ２９から操作信号を入力すると、動画・音声データ記憶部３３から、動画データ及び音声データを読み出し、動画データに基づいて、ディスプレイ３４上に動画を表示させる。また、音声データに基づいて、スピーカ３６から音声を出力する。
【００４３】
そして、データ送信プログラムは、携帯側ＣＰＵ２５が、前記キースイッチ２９から、動画・音声データ記憶部３３に記憶されている動画データと音声データを前記管理コンピュータ２１に送信する旨の操作信号を入力すると、動画データと音声データとを、管理コンピュータ２１に送信するためのプログラムである。
【００４４】
すなわち、携帯側ＣＰＵ２５は、キースイッチ２９から操作信号を入力すると、データ送信プログラムに従って、動画・音声データ記憶部３３から、動画データ及び音声データを読み出し、動画データ及び音声データをアンテナ１５から電波信号として出力する。そして、アンテナ１５から出力された動画データ及び音声データは、携帯電話基地局１７の基地局アンテナ１８で受信され、一般電話回線網１９を介して管理コンピュータ２１に送信される。
【００４５】
次に、本実施形態の動画印刷センタ１４の管理コンピュータ２１について、図３に従って詳しく説明する。
図３に示すように、管理コンピュータ２１は、管理側ＣＰＵ４１、管理側ＲＯＭ４２、管理側ＲＡＭ４３、データ変換装置４４、動画・音声データ記憶部４５、Ｉ／Ｆ部４７、静止画データ記憶部４８、文字データ記憶部４９、書式データ記憶部５１を備える。
【００４６】
管理側ＣＰＵ４１は、データ変換装置４４と接続されており、データ変換装置４４は、前記一般電話回線網１９（図１参照）と接続されている。そして、データ変換装置４４は、一般電話回線網１９を介して電波信号を入力し、受信した電波信号を管理コンピュータ２１の管理側ＣＰＵ４１において受信可能とするための信号処理回路である。従って、管理側ＣＰＵ４１は、前記携帯電話機１２から送信された動画データや音声データをこのデータ変換装置４４を介して入力する。
【００４７】
また、管理側ＣＰＵ４１は、動画・音声データ記憶部４５と接続されており、この動画・音声データ記憶部３３には、管理側ＣＰＵ４１が、前記データ変換装置４４を介して入力した動画データと音声データとが記憶されている。さらに、管理側ＣＰＵ４１は、Ｉ／Ｆ部４７と接続されており、このＩ／Ｆ部４７を介して、前記プリンタ２２に対して印刷データを送信することが可能となっている。
【００４８】
また、管理側ＣＰＵ４１は、静止画データ記憶部４８と接続されており、この静止画データ記憶部４８には、管理側ＣＰＵ４１が、前記動画・音声データ記憶部４５の動画データに基づいて形成した静止画データ及び再生開始時間データが記憶されている。
【００４９】
さらに、管理側ＣＰＵ４１は、文字データ記憶部４９と接続されており、この文字データ記憶部４９には、管理側ＣＰＵ４１が、前記動画・音声データ記憶部４５の音声データに基づいて作成した文字データと文字時間データとが記憶されている。文字データは、管理側ＣＰＵ４１が前記音声データを音声認識することにより作成する文字のデータとなっており、例えば、「おはようございます」といったデータとなっている。
【００５０】
また、文字時間データは、前記文字データの音声認識の元となっている音声が、前記音声データを再生させるときに、再生開始からどれだけ経過したときに出力される音声であるかを表すためのデータとなっている。そして、この文字時間データは、例えば、「３秒」、「８秒」といった１秒単位のデータとなっている。
【００５１】
そして、管理側ＣＰＵ４１は、書式データ記憶部５１と接続されており、この書式データ記憶部５１には、書式データが記憶されている。なお、書式データとは、プリンタ２２において、前記用紙Ｐ上に所定の画像を印刷するためのデータである。そして、本実施形態においては、この書式データに基づいて用紙Ｐ上に印刷を行うことにより、図４に示すような、映画等のフィルムを模した画像５５が印刷されるようになっている。そして、この画像５５には、５コマ×３列の、計１５コマの長方形の空欄５６が設けられている。
【００５２】
また、図３に示すように、管理側ＣＰＵ４１は、管理側ＲＯＭ４２に接続され、この管理側ＲＯＭ４２に記憶されている各種プログラムに従って動作し、その演算処理結果を管理側ＲＡＭ４３に一時記憶するようになっている。詳述すると、管理側ＲＯＭ４２には、データ受信プログラム、静止画データ作成プログラム、文字データ作成プログラム、印刷プログラム及びその他各種のプログラムが備えられている。
【００５３】
データ受信プログラムは、管理側ＣＰＵ４１が、前記データ変換装置４４を介して、動画データと音声データとを受信すると、受信したデータを、前記動画・音声データ記憶部４５に記憶させるためのプログラムである。すなわち、管理側ＣＰＵ４１は、データ変換装置４４を介して、動画データと音声データとを受信すると、データ受信プログラムに従って、受信したデータを、動画・音声データ記憶部４５に記憶させる。
【００５４】
つまり、管理コンピュータ２１の管理側ＣＰＵ４１は、前記データ受信プログラムによって、携帯電話機１２から、動画データを受信する手段及び音声データを受信する手段として機能する。
【００５５】
静止画データ作成プログラムは、管理側ＣＰＵ４１が、動画・音声データ記憶部４５に動画データを記憶させると、記憶させた動画データに基づいて、所定数の静止画データを抽出し、静止画データ記憶部４８に記憶させるためのプログラムである。すなわち、管理側ＣＰＵ４１は、動画データと音声データとを動画・音声データ記憶部４５に記憶させると、静止画データ作成プログラムに従って、動画データに基づいて、所定数の静止画データを抽出する。そして、抽出した静止画データを、対応する再生開始時間データとともに、静止画データ記憶部４８に記憶させる。
【００５６】
なお、本実施形態においては、動画データは、前述したとおり、２２５フレームの静止画データにより構成されており、この中から、１５フレーム分を抽出するものとする。そして、１５フレームの抽出方法としては、時系列順に、１番目のフレームから、１秒経過するごとに次の１フレームを抽出する、ということを繰り返すことにより抽出するものとする。そして、１５の各静止画データは、それぞれに対応する前記再生開始時間データと関連付けられて静止画データ記憶部４８に記憶される。
【００５７】
また、近年、動画データのデータ容量を小さくするために、連続するフレーム間で、フレームを構成する要素がどのように動いたかを検出して効率よくデータを圧縮する、いわゆる、動き補償といった技術が採用されることがある。そして、このような場合には、上記の静止画データは、伸張された状態で静止画データ記憶部４８に記憶されるものとする。
【００５８】
文字データ作成プログラムは、管理側ＣＰＵ４１が、動画・音声データ記憶部４５に音声データを記憶させると、記憶させた音声データに基づいて、前記文字データと文字時間データとを作成し、文字データ記憶部４９に記憶させるためのプログラムである。
【００５９】
すなわち、管理側ＣＰＵ４１は、動画データと音声データとを動画・音声データ記憶部３３に記憶させると、文字データ作成プログラムに従って、音声データに基づいて、文字データと文字時間データとを作成する。そして、作成した文字データと文字時間データとを、文字データ記憶部４９に記憶させる。
【００６０】
なお、本実施形態においては、文字データの作成は、管理側ＣＰＵ４１が、音声データの音声認識を行い、図示しない音声認識用辞書に登録されている音声パターンと比較することにより行われる。そして、管理側ＣＰＵ４１は、音声認識用辞書から、類似度の高い音声パターンを抽出すると、それに対応した文字を文字データとする。
【００６１】
また、文字時間データの作成は、管理側ＣＰＵ４１が、作成した文字データの元となっている音声が、音声データの再生開始からどれだけ経過したときに出力される音声であるかを判別することにより行われる。そして、文字時間データは、０．１秒単位以下を切り捨てることにより作成される。従って、例えば、管理側ＣＰＵ４１が、例えば、「おはよう」という文字データについて、音声データの再生開始から８．７秒後に発生する音声に基づいたデータであると判別した場合には、この文字データに対応する文字時間データが「８秒」とされ、前記文字データ記憶部４９に記憶される。
【００６２】
印刷プログラムは、管理側ＣＰＵ４１が、前記静止画データ記憶部４８及び文字データ記憶部４９に、静止画データや文字データ等を記憶させると、静止画データ、再生開始時間データ、文字データ、文字時間データ、書式データに基づいて、印刷データを作成するためのプログラムである。また、プリンタ２２を介して用紙Ｐ上に印刷を行うためのプログラムでもある。すなわち、管理側ＣＰＵ４１は、静止画データや文字データ等を静止画データ記憶部４８及び文字データ記憶部４９に記憶させると、印刷プログラムに従って、静止画データ、再生開始時間データ、文字データ、文字時間データ、書式データに基づいて、印刷データを作成し、プリンタ２２を介して用紙Ｐ上に印刷を行う。
【００６３】
なお、この印刷プログラムに従って、管理側ＣＰＵ４１が、用紙Ｐ上に印刷を行うことで、図５に示すように、用紙Ｐ上には、前記画像５５に加えて、画像５５の空欄５６のそれぞれに、静止画データに基づく１５フレームの静止画５８が、時系列順に印刷される。
【００６４】
詳しくは、この画像５５の空欄５６のうち、上欄の５マスには、再生開始時間データが「０秒」〜「４秒」となっている静止画データに基づく静止画５８が、左から右に向かって再生開始時間データの昇順に印刷される。また、画像５５の空欄５６のうち、中欄の５マスには、再生開始時間データが「５秒」〜「９秒」となっている静止画データに基づく静止画５８が、左から右に向かって再生開始時間データの昇順に印刷される。さらに、画像５５の空欄５６のうち、下欄の５マスには、再生開始時間データが「１０秒」〜「１４秒」となっている静止画データに基づく静止画５８が、左から右に向かって再生開始時間データの昇順に印刷される。
【００６５】
さらに、用紙Ｐ上には、文字データに基づいて、文字６０が印刷される。なお、この文字６０は、文字データに対応付けられている前記文字時間データに基づき、前記静止画データと同様にして、時系列順に用紙Ｐ上に印刷されるようになっている。例えば、文字データに対応づけられている文字時間データが「３秒」である場合には、同じく再生開始時間データが「３秒」となっている静止画５８の上に、文字データに基づく文字６０が表示されるようになっている。なお、具体的には、文字時間データが「３秒」である場合には、用紙Ｐ上の、上覧の左から３番目の静止画５８の上に、該当する文字データに基づく文字６０が表示される。なお、本実施形態においては、文字６０は、吹き出し表示６０ａによって囲われるようにして用紙Ｐ上に印刷されるものとする。
【００６６】
そして、以上のようにして、管理コンピュータ２１の管理側ＣＰＵ４１は、前記静止画データ作成プログラム及び印刷プログラムによって、動画データから、所定数の静止画データと、同静止画データに対応する再生開始時間データとを抽出する手段として機能する。また、抽出したこれらのデータに基づいて、印刷データを作成する手段として機能する。
【００６７】
さらに、管理コンピュータ２１の管理側ＣＰＵ４１は、前記文字データ作成プログラム及び印刷プログラムによって、音声データから、音声認識を行って文字データを作成する手段として、また、文字データに基づいて、印刷データを作成する手段として機能する。
【００６８】
次に、本実施形態の印刷システム１１の作用について、図６に従って説明する。
図６に示すように、まず、携帯電話機１２のキースイッチ２９が操作され、動画データや音声データの取得を希望する旨の操作信号が入力される。すると、携帯側ＣＰＵ２５は、データ取得プログラムに従って、操作信号の入力のあった時間から１５秒間における、動画データ及び音声データを、撮影装置３１を介して取得する。そして、取得したデータを動画・音声データ記憶部３３に記憶させる（ステップＳ１）。
【００６９】
次に、携帯電話機１２のキースイッチ２９が操作され、動画データ及び音声データの再生を希望する旨の操作信号が入力されると、携帯側ＣＰＵ２５は、データ再生プログラムに従って、動画・音声データ記憶部３３の動画データ及び音声データを、ディスプレイ３４及びスピーカ３６を介して再生する。
【００７０】
また、携帯電話機１２のキースイッチ２９が操作され、動画データ及び音声データを、管理コンピュータ２１に送信する旨の操作信号が入力されると、携帯側ＣＰＵ２５は、データ送信プログラムに従って、動画・音声データ記憶部３３の動画データと音声データとをアンテナ１５を介して出力する（ステップＳ２）。そして、出力された動画データと音声データとは、電波信号として携帯電話基地局１７の基地局アンテナ１８で受信され、一般電話回線網１９を介して、管理コンピュータ２１のデータ変換装置４４に送信される。
【００７１】
そして、管理コンピュータ２１の管理側ＣＰＵ４１は、データ変換装置４４を介して、動画データと音声データとを入力すると（ステップＳ３）、データ受信プログラムに従って、受信したデータを、動画・音声データ記憶部４５に記憶させる。続いて、管理側ＣＰＵ４１は、静止画データ作成プログラムに従って、動画・音声データ記憶部に記憶されている動画データに基づいて、１５の静止画データを作成し、対応する再生開始時間データとともに、静止画データ記憶部４８に記憶させる（ステップＳ４）。
【００７２】
また、管理側ＣＰＵ４１は、文字データ作成プログラムに従って、動画・音声データ記憶部に記憶されている音声データに基づいて、文字データと文字時間データとを作成し、文字データ記憶部４９に記憶させる（ステップＳ５）。そして、次に、管理側ＣＰＵ４１は、印刷プログラムに従って、静止画データ記憶部４８の静止画データ及び再生開始時間データ、文字データ記憶部４９の文字データ及び文字時間データ、書式データ記憶部５１の書式データに基づいて、印刷データを作成し、プリンタ２２を介して用紙Ｐ上に印刷を行う。その結果、用紙Ｐ上には、図５に示すように、画像５５、静止画５８、文字６０が表示される。
【００７３】
従って、携帯電話機１２において、動画データ及び音声データが取得され、取得されたデータが一般電話回線網１９等を介して動画印刷センタ１４の管理コンピュータ２１に送信されることにより、管理コンピュータ２１に接続されているプリンタ２２を介して、用紙Ｐに対して、印刷が行われる。そして、その結果、用紙Ｐ上には、動画データ及び音声データに基づく静止画５８や文字６０が時系列順に表示されるようになる。すなわち、用紙Ｐ上に表示されている静止画５８や文字６０によって、携帯電話機１２において取得された動画データや音声データの内容を理解することができるようになる。
【００７４】
上記実施形態によれば、以下のような効果を得ることができる。
（１）上記実施形態では、携帯電話機１２に記憶されている動画データを、管理コンピュータ２１に送信することで、管理コンピュータ２１において、動画データから、１５フレームの静止画データと再生開始時間データとが抽出されるようにした。そして、抽出されたデータに基づいて印刷データが作成され、プリンタ２２を介して用紙Ｐに対して印刷が行われるようにした。
【００７５】
従って、用紙Ｐ上には、静止画データと再生開始時間データとに基づく複数の静止画５８が印刷されるようになり、この静止画５８を見ることで、動画データの内容を把握することが可能となる。すなわち、携帯電話機１２において、動画データの消去が所望された場合には、この動画データを管理コンピュータ２１に送信して、用紙Ｐ上に印刷を行うことで、動画データが消去されても、動画データの内容を把握することができるようになる。その結果、携帯電話機１２において、あまり重要度の高くない動画データについては、用紙Ｐ上への印刷を行うことで、積極的に消去することができる。そして、携帯電話機１２における記憶容量の空きスペースを増大させ、動画データの管理を容易にすることができる。
【００７６】
（２）上記実施形態では、用紙Ｐ上に印刷される、静止画５８は、静止画データに対応づけられている再生開始時間データに基づいて、時系列順に並んで表示されるようにした。従って、用紙Ｐ上に印刷された静止画５８を、並んでいる順に従って１つ１つ見ることによって、静止画５８の内容の経時的な変化を簡単に把握することができる。その結果、これら静止画５８の元となる、動画データの内容をより正確に把握することができる。
【００７７】
（３）上記実施形態では、携帯電話機１２から管理コンピュータ２１に対して、動画データに加えて音声データを送信するようにした。そして、管理コンピュータ２１において、音声データが音声認識されることによって文字データが抽出され、抽出された文字データに基づいて、印刷データが作成されるようにした。
【００７８】
従って、この印刷データに基づいて用紙Ｐ上に印刷が行われることで、文字データに基づく文字６０が印刷されるので、この用紙Ｐを見ることで、これら文字６０の元となる音声データの内容をより正確に把握することができる。
【００７９】
（４）上記実施形態では、用紙Ｐ上に印刷される文字６０は、文字データに対応づけられている文字時間データに基づいて、時系列順に並んで表示されるようにした。しかも、この文字６０は、静止画データに基づく静止画５８と並列表示されるので、静止画５８と文字６０とを並列的に見ることが可能となる。この結果、各静止画５８に対応する音声がわかりやすく把握されるようになり、静止画５８や文字６０の元となる、動画データや音声データの内容をより正確に把握することができる。
【００８０】
なお、上記実施形態は以下のように変更してもよい。
・上記実施形態においては、携帯電話機１２において取得された動画データと音声データとが、管理コンピュータ２１に送信されると、管理コンピュータ２１において、動画データと音声データに基づいて、静止画データや文字データ等が作成されるようにした。そして、プリンタ２２を介して用紙Ｐ上に静止画５８及び文字６０が印刷されるようにした。これを、携帯電話機１２から管理コンピュータ２１には、動画データのみを送信するようにし、用紙Ｐ上には、静止画５８のみが印刷されるようにしてもよい。
【００８１】
・上記実施形態にておいては、管理コンピュータ２１の管理側ＣＰＵ４１によって作成される印刷データは、プリンタ２２がこの印刷データに基づいて印刷を行うことによって、用紙Ｐ上に、静止画５８及び文字６０が時系列順に並んで表示されるようなデータであるようにした。これを、印刷データを、静止画５８及び文字６０が時系列とは関係ない順序で用紙Ｐ上に表示されるようなデータとするようにしてもよい。
・上記実施形態においては、動画データは、２２５フレームの静止画データにより構成されるようにしたが、その他の数の静止画データによって構成されるようにしてもよい。また、１秒間当たりのフレーム数も、１５フレーム以外の数となるようにしてもよい。
【００８２】
・上記実施形態においては、管理側ＣＰＵ４１は、静止画データ作成プログラムに従って、動画データから１５フレームの静止画データを抽出するようにしたが、その他の数の静止画データを抽出するようにしてもよい。そして、このような場合には、管理側ＣＰＵ４１によって作成される印刷データは、用紙Ｐ上に、抽出した静止画データの数に応じた静止画５８が表示されるデータに変更する。
【００８３】
・上記実施形態においては、ユーザー端末として携帯電話機１２に具体化したが、動画データや音声データを取得し、一般電話回線網１９やその他のネットワークを介して、これらのデータを管理コンピュータ２１に対して送信可能なものであれば、その他の装置に具体化してもよい。例えば、パーソナルコンピュータや、通信機能付きデジタルビデオカメラ等に具体化してもよい。
【００８４】
・上記実施形態においては、携帯電話機１２が、動画印刷センタ１４に対して１つのみが接続されている場合について説明したが、動画印刷センタ１４に対して、複数の携帯電話機１２が接続されていてもよい。そして、このような場合には、複数の携帯電話機１２から、それぞれ異なる動画データや音声データを動画印刷センタ１４の管理コンピュータ２１に送信し、管理コンピュータ２１において、これら複数の動画データや音声データに基づいた静止画データや文字データを作成するようにしてもよい。そして、これらの静止画データや文字データに基づいて、プリンタ２２から、１枚の用紙Ｐに対して印刷を行うようにしてもよい。このようにすれば、１枚の用紙Ｐに複数の携帯電話機１２から送信された動画データや音声データに基づく静止画５８や文字６０を表示させることができる。
【図面の簡単な説明】
【図１】本実施形態における印刷システムの概略構成図。
【図２】同じく、携帯電話機の電気的構成図。
【図３】同じく、管理コンピュータの電気的構成図。
【図４】同じく、書式データに基づく画像が印刷された用紙の正面図。
【図５】同じく、印刷データに基づく画像が印刷された用紙の正面図。
【図６】同じく、印刷システムの作用を示すフローチャート図。
【符号の説明】
Ｐ…印刷媒体としての用紙、１１…印刷システム、１２…ユーザー端末としての携帯電話機、２１…管理コンピュータ、２２…印刷手段としてのプリンタ、５８…静止画、６０…文字。
【図１】
2004297584.tif 000003
【図２】
2004297584.tif 000004
【図３】
2004297584.tif 000005
【図４】
2004297584.tif 000006
【図５】
2004297584.tif 000007
【図６】
2004297584.tif 000008